(57)【要約】【課題】帯性、操作性の優れた携帯用バンドソーの提供。【解決手段】環状を成す帯鋸１Ａが架け渡される第一鋸車３及び第二鋸車４と、第一鋸車３を保持する第一ハウジング２１と第二鋸車４を保持する第二ハウジング２２と第一ハウジング２１と第二ハウジング２２とを接続する接続部２３とを有し第一鋸車３と第二鋸車４とを互いに平行な軸で回転可能に保持するハウジング２と、第一ハウジング２１に配置され第一鋸車３を駆動するモータ５と、第二ハウジング２２に配置されモータ５に電力供給するバッテリ６と、を備える携帯用バンドソー１を提供する。【選択図】図１
2012139753.tif 000002
【特許請求の範囲】
【請求項１】
環状を成す帯鋸が架け渡される第一鋸車及び第二鋸車と、
第一鋸車と第二鋸車とを互いに平行な軸で回転可能に保持するハウジングと、
該ハウジングにおいて該第一鋸車側に配置され該第一鋸車を駆動するモータと、
該ハウジングにおいて該第二鋸車側に配置され該モータに電力供給するバッテリーと、を備えることを特徴とする携帯用バンドソー。
【請求項２】
該ハウジングには、該第一鋸車及び該第二鋸車の軸方向一方側に位置するハウジング一面側が規定され、
該モータと該バッテリーとはそれぞれ該ハウジング一面側に配置されていることを特徴とする請求項１に記載の携帯用バンドソー。
【請求項３】
該モータはブラシ部を有し、該ブラシ部は該ハウジング一面側に配置されていることを特徴とする請求項２に記載の携帯用バンドソー
【請求項４】
該ハウジングにおいて該バッテリー近傍にはハンドルが配置され、
該バッテリーは、該ハウジングに着脱可能であると共に該ハンドルから離間する方向であって該第一鋸車の軸方向と交差する方向に移動して該ハウジングから取り外されるように構成されていることを特徴とする請求項１乃至請求項３のいずれか一に記載の携帯用バンドソー。
【請求項５】
該ハウジングは、該第一鋸車を保持する第一ハウジングと、該第一ハウジングから離間した位置に配置されて該第二鋸車を保持する第二ハウジングと、該第一ハウジングと該第二ハウジングとを連結する連結部とを有し、該第一ハウジングと該第二ハウジングとの間に、帯鋸が露出する開口部が形成され、
該モータの重心と該バッテリーの重心とを結ぶ仮想線上であって該開口部内に重心が位置していることを特徴とする請求項１乃至請求項４のいずれか一に記載の携帯用バンドソー。
【請求項６】
該モータは扁平モータであることを特徴とする請求項１乃至請求項５のいずれか一に記載の携帯用バンドソー。
【発明の詳細な説明】
【技術分野】
【０００１】
本発明はバンドソーに関し、特に携帯用バンドソーに関する。
【背景技術】
【０００２】
従来の携帯用バンドソーは、ハウジングの左右両端部に回転可能に支持された一対の鋸車と、一対の鋸車に張架された帯鋸と、ハウジングの左右中央に設けられたモータハウジング部内に設けられた電動モータとを有している。
【先行技術文献】
【特許文献】
【０００３】
【特許文献１】特開２００９−１６６２１２号公報
【発明の概要】
【発明が解決しようとする課題】
【０００４】
上記構成の携帯用バンドソーで、電源が外部電源ではなくバッテリの場合には、ハウジングにバッテリが装着される。この場合、携帯性は優れるが、バッテリの重さによって操作性が悪くなるなどの問題があった。
【０００５】
よって本発明は、携帯性、操作性の優れた携帯用バンドソーを提供することを目的とする。
【課題を解決するための手段】
【０００６】
上記課題を解決するために本発明は、環状を成す帯鋸が架け渡される第一鋸車及び第二鋸車と、第一鋸車と第二鋸車とを互いに平行な軸で回転可能に保持するハウジングと、該ハウジングにおいて該第一鋸車側に配置され該第一鋸車を駆動するモータと、該ハウジングにおいて該第二鋸車側に配置され該モータに電力供給するバッテリと、を備える携帯用バンドソーを提供する。
【０００７】
このような構成によると、重量物であるモータとバッテリとが一端・他端に分かれて配置されるため、重量配分がよくなり操作性が向上する。
【０００８】
上記構成の携帯用バンドソーにおいて該ハウジングには、該第一鋸車及び該第二鋸車の軸方向一方側に位置するハウジング一面側が規定され、該モータと該バッテリとはそれぞれ該ハウジング一面側に配置されていることが好ましい。また該モータはブラシ部を有し、該ブラシ部は該ハウジング一面側に配置されていることが好ましい。
【０００９】
このような構成によると、ハウジング一面側からモータやバッテリにアクセスできるため、ブラシ部の交換等モータの整備やバッテリの着脱を容易に行うことができる。
【００１０】
また該ハウジングにおいて該バッテリ近傍にはハンドルが配置され、該バッテリは、該ハウジングに着脱可能であると共に該ハンドルから離間する方向であって該第一鋸車の軸方向と交差する方向に移動して該ハウジングから取り外されるように構成されていることが好ましい。
【００１１】
このような構成によると、ハンドルを把持しながらバッテリを取り外すことができるため、バッテリの着脱が容易になる。
【００１２】
また該ハウジングは、該第一鋸車を保持する第一ハウジングと、該第一ハウジングから離間した位置に配置されて該第二鋸車を保持する第二ハウジングと、該第一ハウジングと該第二ハウジングとを連結する連結部とを有し、該第一ハウジングと該第二ハウジングとの間に、帯鋸が露出する開口部が形成され、該モータの重心と該バッテリの重心とを結ぶ仮想線上であって該開口部内に重心が位置していることが好ましい。
【００１３】
このような構成によると、作業箇所が重心位置となるため、作業性が損なわれずに、好適に作業することができる。
【００１４】
また該モータは扁平モータであることが好ましい。このような構成によると、工具を小型化することができる。
【発明の効果】
【００１５】
本発明の携帯用バンドソーによれば、携帯性、操作性を良好にすることができる。
【図面の簡単な説明】
【００１６】
【図１】本発明の実施の形態に係る携帯用バンドソーの正面図（バッテリ装着状態）。
【図２】本発明の実施の形態に係る携帯用バンドソーの正面図（バッテリ取外状態）。
【図３】本発明の実施の形態に係る携帯用バンドソーのバッテリであって（ａ）取外状態（ｂ）装着状態。
【発明を実施するための形態】
【００１７】
以下、本発明の実施の形態に係る携帯用バンドソーについて図１乃至図３に基づき説明する。図１に示される携帯用バンドソー１は、作業者が両手で把持して帯鋸１Ａで切断作業を行う工具であり、主にハウジング２と、第一鋸車３と、第二鋸車４と、モータ５と、バッテリ６と制御部７とから主に構成されている。帯鋸１Ａは、幅方向一側縁に鋸刃を有する長尺状の金属板を環状に接続して構成されている。
【００１８】
ハウジング２は、第一ハウジング２１と、第二ハウジング２２と、第一ハウジング２１と第二ハウジング２２とを接続する接続部２３とから主に構成されている。
【００１９】
第一ハウジング２１は、内部に第一鋸車３及びモータ５を収容する空間が画成されており、第一鋸車３を回転可能に保持している。第一ハウジング２１内においてモータ５を収容する空間は、第一鋸車３の軸方向において、第一鋸車３の一端側に位置している。第二ハウジング２２は、第一ハウジング２１から離間した位置に配置され、第二鋸車４を収容する空間が画成されており、第二鋸車４を第一鋸車３の回転軸と平行な軸で回転可能に保持している。以下の説明において、第一ハウジング２１から第二ハウジング２２に向かう方向を右側方向として左右方向を定義し、第一鋸車３の軸方向において第一鋸車３からモータ５に向かう方向（一端側方向）を一面側として一面側・他面側方向を定義する。接続部２３は、左右方向において第一ハウジング２１と第二ハウジング２２とを接続し、左右方向及び軸方向それぞれと直交する方向において第一ハウジング２１と第二ハウジング２２との一端部に位置するように配置されている。この第一ハウジング２１と第二ハウジング２２と接続部２３とから、開口部２ａが画成される。
【００２０】
上述のように、接続部２３は、左右方向及び軸方向それぞれと直交する方向において第一ハウジング２１と第二ハウジング２２との一端側に位置するため、開口部２ａは、左右方向及び軸方向それぞれと直交する方向において第一ハウジング２１と第二ハウジング２２との他端側に開口する。この左右方向及び軸方向それぞれと直交する方向における他端側を開口側と定義し、反対側（一端側）を反開口側と定義する。
【００２１】
第一ハウジング２１において一面側には、手元灯２４と、手元灯電源スイッチ２４Ａと、ダイヤル２５Ａとが設けられている。手元灯２４は、バッテリ６から電源を供給されて開口部２ａ内において特に開口側を照射するように配置されている。手元灯電源スイッチ２４Ａは手元灯２４のオン・オフを切り替えている。ダイヤル２５Ａは、モータ５の速度調節に用いられている。
【００２２】
第二ハウジング２２には、バッテリ６を装着可能な装着部２２Ｂ（図２）が設けられている。この装着部２２Ｂは、図３（ａ）に示されるように、反開口部側から開口部側へと向かう方向に沿ったレール部２２Ｃを備えており、開口部側から反開口部側へと向かう方向を図３（ｂ）に示されるバッテリ６が装着される方向、反対を取り外される方向として構成されている。
【００２３】
接続部２３には、第一ハンドル２６と第二ハンドル２７とが設けられている。第一ハンドル２６は接続部２３の左端から左側へ向けて第一ハウジング２１の一面側上方に延出されて設けられており、図１に示されるように、後述の開口部２ａから露出した帯鋸１Ａが垂直を成した時に、略水平になるように配置されている。
【００２４】
第二ハンドル２７は、接続部２３の右端から右側に向けて第二ハウジング２２の一面側上方に第二ハウジング２２の外周に沿って延出されると共に延出先端が第二ハウジング２２一面と一体接続され、装着部２２Ｂの反開口部側へ位置するように配置されている。また第二ハンドル２７にはモータ５のオン・オフを切り替えるトリガ２７Ａが設けられている。また接続部２３内には空間が形成され、その空間内を帯鋸１Ａが通過可能に構成されている。
【００２５】
また第一ハウジング２１と第二ハウジング２２とにおいて、開口部２ａを画成する箇所であって最も開口側に位置する箇所には、それぞれ帯鋸１Ａを保持すると共に、開口部２ａ内に対して帯鋸１Ａを導き、収容するガイド部材２１Ａ、２２Ａが設けられている。このガイド部材２１Ａ、２２Ａは、開口部２ａ内において帯鋸１Ａの鋸刃がハウジング２の他面側を向き、かつ第一ハンドル２６が水平になった状態で帯鋸１Ａが垂直になるように、帯鋸１Ａをガイドしている。
【００２６】
第一鋸車３は、第一ハウジング２１内に回転可能に配置されており、モータ５により回転駆動されている。また第一鋸車３の外周には、帯鋸１Ａが架けられる支持部材が設けられている。
【００２７】
第二鋸車４は、第一鋸車３と略同形状を成しており、外周に帯鋸１Ａが架けられる支持部材が設けられ、第二ハウジング２２内に回転可能に配置されている。この第一鋸車３と第二鋸車４とに適当な張力で帯鋸１Ａが架けられると共に、第一鋸車３と第二鋸車４とで帯鋸１Ａを駆動している。
【００２８】
モータ５は、公知の扁平モータであり、第一ハウジング２１内に配置されて、第一鋸車３を図示せぬギア等の減速機構を介して駆動している。またモータ５は電源供給部としてブラシ部５１を有している。このブラシ部５１は、第一ハウジング２１において一面側に着脱可能に配置されている。よって長期の使用によりブラシ部５１が劣化した場合には、容易に新たなブラシ部５１に交換することができる。
【００２９】
バッテリ６は、複数のセルから構成される充電可能な二次電池であり、第二ハウジング２２において装着部２２Ｂ（図２）に着脱可能に装着されている。図２に示されるように、装着部２２Ｂに対して第二ハンドル２７の大部分が反開口部側に位置しているため、作業者が一方の手で第二ハンドル２７を把持し、他方の手でバッテリ６を掴んで第二ハンドル２７から離間する方向である開口部側へと移動させることにより、装着部２２Ｂからバッテリ６を容易に外すことができる。
【００３０】
制御部７は、主に接続部２３に設けられた基板７１から構成されている。基板７１には、トリガ２７Ａ、手元灯２４、ダイヤル２５Ａ、ブラシ部５１が電気的に接続されている。また基板７１には、モータ５の回転状態を検知するセンサ７２が接続されている。
【００３１】
また上記構成において、モータ５とバッテリ６とは、それぞれの重心を通る仮想線Ｌが開口部２ａ内を通り、かつ携帯用バンドソー１の重心Ｇが前記仮想線Ｌ上であって開口部２ａ内に位置するように、重量配分、及び配置されている。
【００３２】
上記構成の携帯用バンドソー１で作業を行う際には、一方の手で第一ハンドル２６を把持し、他方の手で第二ハンドル２７を把持して、トリガ２７Ａを操作することにより、帯鋸１Ａを駆動し、開口部２ａに露出する帯鋸１Ａで切断作業を行う。この携帯用バンドソー１においては、重量物であるモータ５とバッテリ６とが左右に分かれて配置されるため、重量配分がよくなり操作性が向上している。また重心位置である開口部２ａ内に重心位置があるため、作業性が損なわれずに、好適に作業することができる。
【符号の説明】
【００３３】
１：携帯用バンドソー  １Ａ：帯鋸  ２：ハウジング  ２ａ：開口部  ３：第一鋸車
４：第二鋸車  ５：モータ  ６：バッテリ  ７：制御部  ２１：第一ハウジング
２１Ａ：ガイド部材  ２２：第二ハウジング  ２２Ａ：ガイド部材  ２２Ｂ：装着部
２２Ｃ：レール部  ２３：接続部  ２４：手元灯  ２４Ａ：手元灯電源スイッチ
２５Ａ：ダイヤル  ２５Ｂ：調整ノブ  ２６：第一ハンドル  ２７：第二ハンドル
２７Ａ：トリガ  ５１：ブラシ部  ７１：基板  ７２：センサ
【図１】
2012139753.tif 000003
【図２】
2012139753.tif 000004
【図３】
2012139753.tif 000005